(57)【要約】異なる製造業者のフィーダ機構及び表面実装装置をシームレスに結合するインターフェイス装置。この装置は、フィーダ機構が取り付けられるキャリッジを含む。キャリッジは、表面実装装置からの外部フィーダコネクタをフィーダ板機構に結合する。フィーダ板機構によって受容された数々のフィーダ機構は、フィーダ板機構への内部フィーダコネクタとインターフェイス結合する。よって、フィーダ板機構は、外部フィーダコネクタを内部フィーダコネクタに適合することで、異なる製造業者のフィーダ機構が異なる表面実装装置と共に用いられることを可能にする。
2006509359.tif 000002
【特許請求の範囲】
【請求項１】
異なる製造業者のフィーダ機構と表面実装装置とを結合するインターフェイス装置であって、
フィーダ板機構が取り付けられ、且つ、表面実装装置からフィーダ板機構への外部フィーダコネクタを提供するキャリッジと、
前記フィーダ板機構によって収容される複数のフィーダ機構とを含み、
該フィーダ機構は、前記フィーダ板機構から前記複数のフィーダ機構への内部コネクタを提供し、
前記フィーダ板機構は、前記外部フィーダコネクタを前記内部フィーダコネクタに適合する、
ことを特徴とするインターフェイス装置。
【請求項２】
前記外部フィーダコネクタは、空圧及び電気接続を含むことを特徴とする請求項１に記載のインターフェイス装置。
【請求項３】
前記内部フィーダコネクタは、空圧及び電気接続を含むことを特徴とする請求項１に記載のインターフェイス装置。
【請求項４】
前記表面実装装置内のスイッチは、操作者が前記インターフェイス装置内のフィーダ機構の種類を選択することを許容することを特徴とする請求項１に記載のインターフェイス装置。
【請求項５】
前記インターフェイス装置内の位置決めピンが、前記内部フィーダコネクタ及び前記外部フィーダコネクタによって結合される部材を整列することを特徴とする請求項１に記載のインターフェイス装置。
【請求項６】
前記フィーダ板機構は、前記フィーダ板機構を前記表面実装装置に結合するために用いられる上板アセンブリをさらに含むことを特徴とする請求項１に記載のインターフェイス装置。
【請求項７】
前記キャリッジは、前記フィーダ機構によって消費された使用済みフィーダテープを捕捉するよう操作可能なテープ投棄場をさらに含むことを特徴とする請求項１に記載のインターフェイス装置。
【請求項８】
前記キャリッジは、操作者が前記インターフェイス装置を前記表面実装装置との間で容易に再配置することを許容するキャスタをさらに含むことを特徴とする請求項１に記載のインターフェイス装置。
【請求項９】
前記フィーダ板機構は、前記フィーダ板機構内に前記フィーダ機構を固定するための係止部材をさらに含むことを特徴とする請求項１に記載のインターフェイス装置。
【請求項１０】
前記キャリッジは、調節可能な高さのフレームを含むことを特徴とする請求項１に記載のインターフェイス装置。
【請求項１１】
異なる製造業者のフィーダ機構を異なる製造業者の表面実装装置にインターフェイス結合する方法であって、
フィーダ板機構をキャリッジに取り付けるステップと、
複数のフィーダ機構を前記フィーダ板機構に接続するステップと、
前記キャリッジを前記表面実装装置に結合し、且つ、前記表面実装装置内のスイッチを介して、前記フィーダ板機構内に包含されるフィーダの種類をを選択するステップとを含み、
前記キャリッジは、前記表面実装装置から前記フィーダ板機構への外部フィーダコネクタを提供し、
前記フィーダ機構は、内部フィーダコネクタを介して、前記フィーダ板機構に結合し、
前記フィーダ板機構は、前記外部フィーダコネクタを前記内部フィーダコネクタに適合する、
ことを特徴とする方法。
【請求項１２】
前記外部フィーダコネクタ及び前記内部フィーダコネクタは、空圧及び電気接続を含むことを特徴とする請求項１１に記載のインターフェイス装置。
【請求項１３】
前記インターフェイス装置内の位置決めピンが、前記内部フィーダコネクタ及び前記外部フィーダコネクタによって結合された部材を整列することを特徴とする請求項１１に記載のインターフェイス装置。
【請求項１４】
前記フィーダ板機構は、前記フィーダ板機構を前記表面実装装置に結合するために用いられる上板アセンブリをさらに含むことを特徴とする請求項１１に記載のインターフェイス装置。
【請求項１５】
前記キャリッジは、前記フィーダ機構によって消費された使用済みフィーダテープを捕捉するよう操作可能なテープ廃棄場をさらに含むことを特徴とする請求項１１に記載のインターフェイス装置。
【請求項１６】
前記キャリッジは、操作者が前記インターフェイス装置を前記表面実装装置との間で容易に再配置することを許容するキャスタをさらに含むことを特徴とする請求項１１に記載のインターフェイス装置。
【請求項１７】
前記フィーダ板機構は、前記フィーダ板機構内に前記フィーダ機構を固定するための係止部材をさらに含むことを特徴とする請求項１１に記載のインターフェイス装置。
【請求項１８】
前記キャリッジは、調節可能な高さのフレームを含むことを特徴とする請求項１１に記載のインターフェイス装置。
【請求項１９】
異なる製造業者のフィーダ機構及び表面実装装置を結合するインターフェイス装置であって、
フィーダ板機構が取り付けられ、且つ、表面実装装置からフィーダ板機構への外部フィーダコネクタを提供するキャリッジと、
前記フィーダ板機構によって収容される複数のフィーダ機構と、
当該インターフェイス装置内に包含される前記フィーダ機構の種類を選択するための手段とを含み、
前記外部フィーダコネクタは、空圧及び電気接続を含み、
前記フィーダ機構は、前記フィーダ板機構から前記複数のフィーダ機構への内部コネクタを提供し、
該内部フィーダコネクタは、空圧及び電気接続を含み、
前記フィーダ板機構は、前記外部フィーダコネクタを前記内部フィーダコネクタに適合し、
機械的ストップ及び位置決めピンが、前記フィーダ板機構内に前記フィーダ機構を固定する、
ことを特徴とするインターフェイス装置。
【請求項２０】
前記キャリッジは、
前記フィーダ機構によって消費された使用済みフィーダテープを補足するよう操作可能なテープ投棄場と、
操作者が当該インターフェイス装置を前記表面実装装置との間で容易に再配置することを許容するキャスタをさらに含む、
ことを特徴とする請求項１９に記載のインターフェイス装置。
【発明の詳細な説明】
【技術分野】
【０００１】
本発明は概ねフィーダ機構及び表面実装装置に関し、より詳細には、フィーダ機構を表面実装装置にシームレスに結合するためのシステム及び方法に関し、ここでは、フィーダ機構は、個別の表面実装アセンブリ装置と結合するように特別に構成されていない。
【背景技術】
【０００２】
完全自動化された表面実装アセンブリ装置は、様々な構成部品をプリント回路基板（ＰＣＢ）に装着する。これらの道具は構成部品アセンブリの生産性を劇的に引き上げ、製造コストを劇的に低減する。各道具は特定の従来的なフィーダ（フィーダ機構）と協働するよう構成されるのが典型的である。これらのフィーダの種類は、バルク、テープ、チューブ及びその他の類似の構造を含み得る。テープ機構によって、表面実装アセンブリ装置は、均一に離間したキャビティ内に表面実装電子構成部品を含む搬送テープを連続的に割り出し得る。さらに、ピックアップヘッドによる取り出し及び後続の表面実装装置によるアセンブリ配置のために、これらのフィーダ機構は、禁止された「デッドスポット」（ピックポイントの別称でも知られる）で、構成部品を連続的且つ反復的に提示する。
【０００３】
現在、小型の表面実装構成部品を内部に備えた搬送テープ実装は、その表面実装装置のために設計されたテープフィーダを、構成部材を指定のピック地点で取り出し且つ表面実装構成部材をプリント回路基板（ＰＣＢ）上に配置する表面実装装置に貫通する。従来のテープフィーダに関連する主要な欠点は、これらのフィーダ機構が特定の装置用であり、よって、他の種類の表面実装アセンブリ装置との使用のための互換性がないことである。換言すれば、実質的にあらゆる種類及び形式の従来のテープフィーダは、表面実装アセンブリ装置の特定の製造元及び型のために製造されており、他の種類の表面実装アセンブリ装置と共に用い得ないことである。これは表面実装アセンブリ装置が利用されている現代的な工場で必要な従来のテープフィーダの蔓延を生んでいる。予備のテープフィーダのための資本投資及び床面積要件は、表面実装アセンブリ装置それ自体のための対応する資本投資及び床面積要件を超過している。
【０００４】
従来技術のテープフィーダの他の欠点は、フィーダ機構が１つの特定の種類の搬送テープ専用であって、異なるフィーダが使用される各搬送テープのために用いられなければならない点である。
【０００５】
この問題に対する１つの先行技術の解決策が、Ｂｒｉｅｈｌに発効した「多様な表面実装アセンブリ装置に適用可能な互換性のある電子搬送テープフィーダ」と題する米国特許第５，９４１，６７４号において提供されている。この解決策は、小さな構成部品を搬送するために、連続的なスプロケット孔及び割出ポケットを備える搬送テープを供給し、小さな構成部品をプリント回路基板又は他のアセンブリ基板に表面実装するための様々な取出及び配置アセンブリ装置と共に用いられる。Ｂｒｉｅｈｌは、一組の高さ支持アダプタを備える多様な表面実装アセンブリ装置に適応し得る互換性のある電子フィーダを教示する。しかしながら、Ｂｒｉｅｈｌは、さらに他のフィーダ機構を提供することで、既存在庫フィーダ機構の既存の供給過剰の解決を試みることに失敗し、それは既存のフィーダを利用するのと反対に、問題をさらに複雑化する。
【発明の開示】
【発明が解決しようとする課題】
【０００６】
従って、多様な表面実装アセンブリ装置に適応可能な互換性のあるフィーダ装置の極めて効率的且つ極めて効果的な設計及び構造を有することによって、特別のフィーダを特別の表面実装アセンブリ装置に適合させる必要を解消することが極めて望ましい。
【課題を解決するための手段】
【０００７】
本発明は、製造業者の異なるフィーダ機構を製造業者の異なる表面実装装置にシームレスに結合するシステム及び方法を提供する。
【０００８】
より詳細には、本発明は、異なる製造業者のフィーダ機構及び表面実装装置を結合するインターフェイス装置を提供する。このインターフェイス装置はキャリッジを含み、フィーダ板機構がキャリッジに取り付けられる。キャリッジは、表面実装装置からフィーダ板機構への外部フィーダコネクタを提供する。フィーダ板機構によって受容されたフィーダ機構は内部フィーダコネクタを有し、内部フィーダコネクタはフィーダ板機構からフィーダ機構それ自体を接続する。よって、フィーダ板機構は、１つの製造業者の特定の表面実装装置上の外部フィーダコネクタを、他の製造業者のフィーダ機構の内部フィーダコネクタに適合し得る。
【０００９】
これらの外部フィーダコネクタ及び内部フィーダコネクタは、空圧、機械的、電気的接続を含む。表面実装装置内のスイッチ（機械的、電気的又はソフトウェア制御）は、操作者がインターフェイス装置内にロードされたフィーダ機構の種類を選択することを許容する。代替的に、切替器はインターフェイス装置内に位置し得る。インターフェイス装置内の位置決めピンは、内部フィーダコネクタ及び外部フィーダコネクタによって結合された部材を整列する。これらの部材は、主として、フィーダ機構及び外部フィーダコネクタから成る。フィーダ板は上板アセンブリを有するのが典型的であり、上板アセンブリは交換され得ることによって、フィーダ板機構が異なる表面実装装置に機械的に適合することを許容する。
【００１０】
キャリッジは、フィーダ機構によって消費された使用済みフィーダテープを捕捉するために操作可能なテープ投棄場をさらに含み得る。これによって、使用済みテープに関連することの多いカッターの危険性及び必要性が排除される。加えて、キャリッジは、操作者がインターフェイス装置を表面実装装置との間で容易に再配置することを許容するキャスタ上に取り付けられ得る。表面実装装置へのインターフェイス結合、並びに、インターフェイス装置を異なる高さの装置の工具と使用することを容易にするために、キャリッジのフレームは高さ調節可能であり得る。これらの高さの相違は、個別の工具がどのようにして容易にされるかの変化から生じるのが典型的である。主として議論される実施態様は、テープフィーダ機構を利用する。しかしながら、本発明は、テープ、バルク、チューブ又は当業者に既知の他のフィーダ機構に同等に適用され得る。
【００１１】
他の実施態様は、異なる製造業者のフィーダ機構を異なる製造業者の表面実装装置にインターフェイス結合する方法を提供する。この方法は、先ず、フィーダ板機構をキャリッジに取り付けるステップを含む。このステップにおいて、キャリッジは、表面実装装置からフィーダ板機構への外部フィーダコネクタのための基盤を提供する。次に、複数のフィーダ機構が、内部フィーダコネクタを介して、フィーダ板機構に結合される。フィーダ板機構は、表面実装装置から内部フィーダコネクタへの外部コネクタを適合するよう作用する。キャリッジが表面実装装置に結合されるとき、スイッチを介した選択が、フィーダ板機構内に包含されるフィーダ機構の種類を指定する。
【００１２】
前述のように、外部フィーダコネクタ及び内部フィーダコネクタは、空圧及び電気接続の双方を含み得る。さらに、インターフェイス装置内の位置決めピンが、表面実装装置をキャリッジに、外部フィーダコネクタを表面実装装置及びフィーダ板機構に、並びに、内部フィーダコネクタをフィーダ板機構及びフィーダ機構それ自体に整列する。選択的なテープ投棄場が使用済みフィーダテープを捕捉し得る。これによって、使用済みテープを以前除去した危険なカッターの必要が排除される。
【００１３】
操作者は、キャスタ又はホイールを用いて、水平面において、キャリッジを表面実装装置との間で容易に再配置し得る。キャリッジのフレーム内の高さ調節機構は、垂直面において、操作者がキャリッジを表面実装装置との間で容易に再配置することを許容する。
【００１４】
本発明の他の実施態様は、これらの機能の多くを組み込む。そのようなインターフェイス装置は、フィーダ板機構が取り付けられたキャリッジを含み、キャリッジは表面実装装置からフィーダ板機構への外部フィーダコネクタを提供し、これらの外部フィーダコネクタは空圧及び電気接続の双方を含む。複数のフィーダ機構がフィーダ板機構内に受容され、内部フィーダコネクタはフィーダ板機構とフィーダ機構とを空圧的及び電気的に結合する。よって、フィーダ板機構は、表面実装装置からの外部フィーダコネクタを異なる種類の内部フィーダコネクタに適合するように働く。機械的ストップ及び位置決めピンが、フィーダ機構及びフィーダ板機構を表面実装装置／キャリッジアセンブリに固定する。フィーダ機構の種類を選択する手段がインターフェイス装置又は表面実装装置内に位置する。
【００１５】
キャリッジは、フィーダ機構によって消費された使用済みフィーダテープを捕捉するために操作可能なテープ投棄場と、操作者がインターフェイス装置を表面実装装置との間で容易に再配置することを許容するキャスタと、キャリッジの高さを調節するための手段とをさらに含む。
【００１６】
フィーダ機構を様々な表面実装アセンブリ装置と交換可能に用いる能力を提供することによって、本発明は利点を提供する。
【００１７】
本発明の再配置可能なキャリッジは一組の高さ支持アダプタを提供することで、フィーダ板機構は、各表面実装アセンブリ装置のための所要ピック高さに対して調節され得る。これらの高さの相違は、個別の工具がどのように容易にされるかの変化から生じるのが典型的である。
【００１８】
本発明は、フリップチップ及び非フリップチップ能力の双方、並びに、ことらる搬送テープ幅を収容する能力を組み込み可能である。加えて、本発明はベアダイ(bare  die)能力も組み込み得る。
【００１９】
適切に構成されたインターフェイス装置の選択を用いて、フィーダが多様な表面実装装置の中にあるのを許容することによって、それ故に、製造業者がフィーダ機構の既存の在庫を多様な組の表面実装装置と共に用いることを許容することによって、本発明は顕著な利点を提供する。
【００２０】
本発明の１つの実施態様において、交換可能な電子フィーダは、フリップチップ及び非フリップチップ能力の双方を組み込む。さらに、本発明の他の代替的な実施態様において、交換可能なフィーダ機構は非フリップチップ能力のみを含み、それは広範な表面実装部材のために用い得る。そのような部材は単一のベアダイを含むが、それに限定されない。
【００２１】
本発明のさらなる新規な機能及び他の目的は、図面を参照して、以下の詳細な記載、議論及び添付の特許請求の範囲から明らかになるであろう。
【００２２】
本発明及びその利点のより完全な理解のために、添付の図面を参照して、本発明を以下の通り記載する。図面において、同一の参照番号は同一の機能を指し示している。
【発明を実施するための最良の形態】
【００２３】
本発明の好適実施態様は図面に例示されており、用いられている類似番号は、多様な図面の類似又は対応部材を示している。
【００２４】
本発明はフィーダ交換システム（ＦＥＳ）を提供する。ＦＥＳは、フィーダ交換カート、トロッコ、或いは、様々な製造業者からのフィーダを様々な製造業者の表面実装装置へシームレスに結合するよう構成された他のインターフェイス装置を含み、ここで、フィーダは、必ずしも特定の表面実装装置と協働するよう構成される必要はない。よって、ＦＥＳカートは、例えば、Ｆｉｊｉ  ＩＰ−３、Ｕｎｉｖｅｒｓａｌ  ＧＳＭ、或いは、様々な製造業者からの他の表面実装装置を当業者に既知の他の製造業者のフィーダに結合するよう構成され得る。
【００２５】
本発明は、操作者がＦＥＳカートにフィーダ機構を迅速に装着し、ＦＥＳカートを特定の表面実装装置に挿入又は結合することを許容する。フィーダ機構の種類は、ソフトウェアスイッチ又は当業者に既知の他の手段のような選択手段によって選択される。次に、ＰＣＢを組み立てるために、プログラムが起動される。ＦＥＳカートは異なる種類のフィーダ機構を収容可能であり、必要且つ正しいインターフェイスを容易にするために異なる表面実装工具にインターフェイス結合されることで、フィーダ又は表面実装装置の機械適合が不要となる。インターフェイスは空気供給、空圧力学、電子制御信号、電力信号又は当業者に既知の他の所要供給パイプラインを含み、ＦＥＳカート上に設けられる。よって、本発明によって、末端消費者は、特定の表面実装アセンブリ装置のために特別に構成されていないフィーダを利用することが可能となる。使用者は、新しいフィーダ機構を購入するのとは対照的に、既存のフィーダを新しい表面実装工具に利用し得ることで、新しい表面実装装置を購入する所有コストが末端使用者のために低減される。
【００２６】
本発明によって提供されるＦＥＳカートは、完全なフィーダ板を多数のフィーダ機構と置換することによって、ある表面実装装置から他の表面実装装置への敏速な切替を容易にする。カート上に取り付けられたフィーダ板はオフラインのフィーダ設置を可能とし、よって、工具の不稼働時間を低減或いは排除する。これらのＦＥＳカートは、設置領域から表面実装装置へ或いはその逆へ容易に移動される。ＦＥＳカートを標準的な表面実装装置の正面右側、正面左側、背面右側、背面左側にインターフェイス結合する選択肢も可能である。
【００２７】
図１は、本発明のＦＥＳカートの斜視図を提供している。ＦＥＳカート１０は、数々のフィーダ機構を包含するフィーダ板１２を含む。この実施態様はテープフィーダ機構を利用し得るが、本発明はテープ、バルク、チューブ又は当業者に既知の他のフィーダ機構に同等に適用され得る。図示のように、フィーダ板１２は最大２０８ｍｍテープフィーダを包含し得る。テープ投棄ボックス１４が、フィーダ（図示せず）からのテープ廃棄物を収集する。表面実装装置（図示せず）とシームレスに結合するために、フレーム１８上の高さ調整ボルト１６によって、フィーダ板の高さは調節可能にされている。フレーム１８は、キャスタ２０を用いて、所定位置への出し入れのために容易に移動され且つ転動され得る。ＦＥＳカート１０を表面実装工具の隣りの所定位置にしっかり保持している間に動くことを防止するために、キャスタ２０はブレーキを有してもよい。ハンドル２２及びキャスタ２０はＦＥＳカート１０の容易な位置決めを可能にする。
【００２８】
図２は、図１で議論され且つ記載されたフィーダ板１２のフィーダ板アセンブリ接続の１つの実施態様を例示している。フィーダ板アセンブリは、複数のフィーダ機構がフィーダ板アセンブリに結合されるのを許容し、且つ、個々のフィーダ機構を支持するための複数の供給パイプラインを供給する。これらの接続は、空圧、油圧、電気的、機械的、プッシュロッド、光学的、或いは、当業者に知られているような、フィード機構をインターフェイス結合する他の類似方法を含む。
【００２９】
図２に示されているフィーダ板アセンブリ２４は２０フィーダ板であり、３つの内部電力／電気接続２６及び空気又は空圧接続２８を含む。内部フィーダ接続の他に、表面実装装置への外部インターフェイス接続もある。フィーダ板アセンブリ２４の右端及び左端に示されている表面実装インターフェイス３０は、図３でさらに例示されている。図３において、フィーダ板アセンブリ２４は、表面実装工具とＦＥＳカートとの間の接続を案内し且つ整列する位置決めピン３２と、空気又は空圧接続３４と、電気接続３６とを含む外部接続を備えた状態で明示されている。図２及び３に示されているフィーダ板アセンブリ２４は、さらに図４で例示されている。
【００３０】
ＦＥＳカート１０に関連する詳細は、利用されるべき意図する表面実装装置と共に利用されるフィーダ機構に依存することが留意されるべきである。特定の実施態様における本発明は、異なる製造業者からの異なるフィーダ機構が単一の種類のフィーダ機構カートに装着されることを可能とするために、フィーダベースアセンブリの上板を交換することによって、ＦＥＳカート１０が敏速且つ容易に変更されることを許容する。代替的に、この部材は、必要に応じて、フィーダ機構と表面実装装置との間の機械的インターフェイスが敏速に交換されることを許容する。しかしながら、第一の種類の表面実装装置のために元々構成された１つのＦＥＳカートのフィーダ機構が、第二の種類の表面実装装置のために構成されるのを許容するよう、電気的及び空圧的な供給パイプラインはさらなる変更を必要とし得る。
【００３１】
本発明の目標は、フィーダ機構及び表面実装装置の組み合わせを定期的に変更しないことである。むしろ、本発明は、第一の種類のフィーダ機構を受容し且つフィーダ機構をインターフェイス結合し得るＦＥＳカート又は他のインターフェイス装置に、他の製造業者からの第二の種類の表面実装装置又は他のアセンブリ装備を提供し、ここで、フィーダ機構及び表面実装装置の組み合わせは元々意図されたものではない。ＦＥＳカートは、異なるフィーダを収容するために反復的に変更されることが意図されていないが、ＦＥＳカートは、異なるフィーダ機構を収容するために再適合され、或いは、異なる表面実装装置とインターフェイス結合するよう再適合されたカートに関連するインターフェイスを有してもよい。
【００３２】
第一の製造業者からの表面実装装置の所有者が、例えば、第二の製造業者によって製造されたフィーダ機構を含むＦＥＳフィーダカートを装着可能とすることによって、本発明は顕著な利点をもたらす。さらに、このＦＥＳカートは取り除かれ、第三の製造業者によって製造されたフィーダ機構を包含する他のＦＥＳカートと置換され得る。主要な利点はこれらの部材がシームレスにインターフェイス結合することである。表面実装装置に必要な唯一の変更は、その新しいフィーダ機構と関連する異なる制御プログラムを選択するプログラムを選択するか或いはソフトウェアスイッチを切り替えることである。
【００３３】
接続及び整列の容易性、即ち、表面実装装置との機械的インターフェイスのために、ＦＥＳカートは様々な位置決めピン及びタップインターフェイスを有し、それらは機構を所定位置に案内し且つ係止する。
【００３４】
図５は、多様な表面実装装置と共に用いられる交換可能なフィーダ機構の斜視図を例示している。フィーダは、割出ポケット４４を備えた従来技術の搬送テープ４２を供給するために用いられる。小さな部品をプリント回路基板に表面実装するために、割出ポケットは様々な従来技術のピックアンドプレース式アセンブリ装置と共に用いられる小さな部品を包含する。搬送テープ４２はリール４６に巻き取られている。
【００３５】
典型的な従来技術の構造は、図６に示されるような複数のスロット形状ベースを有し、ここで、Ｌ字形状ベース５０は、垂直電力レール５２と、接触ピン５４と、水平支持部５６とを有する。接触ピン５４は、電気的及び空圧的接続を、図５に示されたフィーダ機構に提供する。表面実装装置は、図６に示されたＬ字形状の溝に類似する複数のスロット形状ベースを有するのが典型的である。
【００３６】
前述の通り、本発明は、フィーダ機構を表面実装装置にシームレスに結合する装置及び方法を提供する。これはカート、トロッコ又は他の互換性のある可動装置を提供することによって達成され、それは複数のフィーダ機構を保持し、表面実装装置とフィーダ機構との間の相互の電気的及び空圧的な供給パイプラインを提供する。
【００３７】
図７は、本発明によって提供されるＦＥＳカートの他の実施態様の斜視図を示す。ＦＥＳカート６０は複数のフィーダ機構６２を保持又は包含する。後部ピン係止板フィーダベースアセンブリ６４が、後方で、ＦＥＳカート６０に対する所定位置に、フィーダ機構６２を保持する。アセンブリ６４は図８に明示されている。位置決め又はダウエルピンがフィーダ機構６２をＦＥＳ６０に対する所定位置に保持する。フィーダ機構をカートの前方に対して所定位置に保持するために、前部遮蔽フィーダロック６８が設けられる。左右の側板７０は、ＦＥＳカートがフィーダ機構６２を収容する空間をさらに定める。Ｌ字形状のダウエル保持部又は前部フィーダロック７２がフィーダ機構６２をさらに固定するのを助け、図９に示されたＬ字形状ブラケット７６内のキャップ７４によって例示されるように、ダウエル又は孔を収容するために操作可能なタップ又はピンを追加的に含み得る。図７に示された前部遮蔽アセンブリは、フィーダ機構のリールからのテープが、フィーダカートの底部に位置する屑入れビンの方向に向けられることを許容する。これはフィーダ機構と共に用いられることが多く且つフィーダ機構に関連する固有の危険性を有するカッターの必要を排除する。
【００３８】
フィーダ機構を様々な表面実装アセンブリ装置と交換可能に用いる能力を与えることによって、本発明は利点をもたらす。これによって、使用者は既存のフィーダ機構を用い得る。
【００３９】
フィーダ板機構が各表面実装アセンブリ装置の所要ピック高さに調整され得るよう、本発明の再配置可能な運搬台は一組の高さ支持アダプタを提供する。
【００４０】
本発明はフリップチップ及び非フリップチップの双方の機能及び異なる搬送テープ幅を収容する能力を組み込み得る。
【００４１】
フィーダが適切に構成されたインターフェイス装置の選択を伴った様々な表面実装装置を使用可能とすることによって、よって、製造業者が既存のフィーダ機構の在庫を多様な組の表面実装装置と用いるようにすることによって、本発明は顕著な利点を提供する。
【００４２】
本発明は詳細に説明されたが、添付の請求項に記載された本発明の精神及び範囲から逸脱することなく、多様な変化、置換及び変更を本発明になし得ることが理解されるべきである。
【００４３】
要約すれば、本発明は、異なる製造業者によるフィーダ機構と表面実装装置とを結合するインターフェイス装置を提供する。このインターフェイス装置はキャリッジを含み、フィーダ板がキャリッジに取り付けられている。キャリッジは、表面実装装置からフィーダ機構への外部フィーダコネクタを提供する。フィーダ板機構によって収容されたフィーダ機構は内部フィーダコネクタを有し、内部フィーダコネクタはフィーダ板機構からフィーダ機構それ自体に接続する。よって、フィーダ板機構は、１つの製造業者の特定の表面実装装置上の外部フィーダコネクタを他の製造業者のフィーダ機構の内部フィーダコネクタに適合し得る。
【図面の簡単な説明】
【００４４】
【図１】本発明のフィーダ交換システムを示す斜視図である。
【図２】図１に開示されたフィーダ板アセンブリの１つの実施態様を示す概略図である。
【図３】フィーダ板機構から表面実装装置への外部フィーダ接続を示す概略図である。
【図４】図２に包含されるフィーダ板アセンブリをさらに示す概略図である。
【図５】一般的なフィーダ機構を示す斜視図である。
【図６】図５のフィーダ機構を受容するために操作可能なベースを示す斜視図である。
【図７】本発明によって提供されるフィーダ交換システムの代替的な実施態様を示す斜視図である。
【図８】後部ピン係止板フィーダベースを示す概略図である。
【図９】フィーダ機構を所定位置に固定するために用いられるフィーダ板機構内のＬ字形状ブラケットを示す概略図である。
【図１】
2006509359.tif 000003
【図２】
2006509359.tif 000004
【図３】
2006509359.tif 000005
【図４】
2006509359.tif 000006
【図５】
2006509359.tif 000007
【図６】
2006509359.tif 000008
【図７】
2006509359.tif 000009
【図８】
2006509359.tif 000010
【図９】
2006509359.tif 000011
【国際調査報告】
2006509359.tif 000012
2006509359.tif 000013